(57)【特許請求の範囲】
【請求項１】
ワーキングホリデー管理システムであって、
取得部と、特定部と、提示部とを備え、
前記取得部は、ワーキングホリデーを希望する希望者の個人情報である第１個人情報を取得し、
前記第１個人情報は、前記希望者の滞在期間、滞在先及び希望する職種の少なくとも１つを含み、
前記特定部は、第２個人情報と、受入先情報との関係を予め学習させた学習済みモデルを利用し、前記第１個人情報に基づいてワーキングホリデーの第１の受け入れ先を特定し、
前記第２個人情報は、ワーキングホリデーを過去に利用した利用者の個人情報であり、
前記受入先情報は、前記利用者が所属したワーキングホリデーの受け入れ先の情報であり、
前記提示部は、前記希望者がワーキングホリデーを利用する前に前記第１の受け入れ先を提示する、
ワーキングホリデー管理システム。
【請求項２】
請求項１に記載のワーキングホリデー管理システムにおいて、
前記取得部は、前記第１の受け入れ先である雇用主による前記希望者の評価を取得し、
前記特定部は、前記評価が所定値よりも低い場合、前記第１個人情報と、前記評価とに基づいて前記第１の受け入れ先とは異なる第２の受け入れ先を特定し、
前記第２の受け入れ先は、前記評価をした受け入れ先を除外した受け入れ先であり、
前記提示部は、前記希望者が次の受け入れ先に所属する前に前記第２の受け入れ先を提示する、
ワーキングホリデー管理システム。
【請求項３】
請求項２に記載のワーキングホリデー管理システムにおいて、
前記評価は、前記雇用主による前記希望者の試験結果を含む、
ワーキングホリデー管理システム。
【請求項４】
請求項１〜請求項３のいずれか１項に記載のワーキングホリデー管理システムにおいて、
学習部を備え、
前記学習部は、前記希望者がワーキングホリデーを終了すると、前記第１個人情報を教師データとして、前記学習済みモデルを更新する、
ワーキングホリデー管理システム。
【請求項５】
請求項１〜請求項４のいずれか１項に記載のワーキングホリデー管理システムにおいて、
前記第１個人情報は、前記希望者が希望する受け入れ先を含む、
ワーキングホリデー管理システム。
【請求項６】
請求項１〜請求項５のいずれか１項に記載のワーキングホリデー管理システムにおいて、
前記第１個人情報は、前記希望者の語学力を含み、
前記特定部は、前記語学力が所定値よりも低い場合、受け入れ先に語学学校を含む前記第１の受け入れ先を特定する、
ワーキングホリデー管理システム。
【請求項７】
請求項１〜請求項６のいずれか１項に記載のワーキングホリデー管理システムにおいて、
保証部を備え、
前記保証部は、保証金が支払われた場合に前記第１個人情報を受け付け、
前記保証部は、前記提示部によって提示された受け入れ先に所属してワーキングホリデーの期間が終了した場合に前記保証金を払い戻す、
ワーキングホリデー管理システム。
【請求項８】
コンピュータが実行するワーキングホリデー管理方法であって、
取得ステップと、特定ステップと、提示ステップとを実行するように構成され、
前記取得ステップでは、ワーキングホリデーを希望する希望者の個人情報である第１個人情報を取得し、
前記第１個人情報は、前記希望者の滞在期間、滞在先及び希望する職種の少なくとも１つを含み、
前記特定ステップでは、第２個人情報と、受入先情報との関係を予め学習させた学習済みモデルを利用し、前記第１個人情報に基づいてワーキングホリデーの第１の受け入れ先を特定し、
前記第２個人情報は、ワーキングホリデーを過去に利用した利用者の個人情報であり、
前記受入先情報は、前記利用者が所属したワーキングホリデーの受け入れ先の情報であり、
前記提示ステップでは、前記希望者がワーキングホリデーを利用する前に前記第１の受け入れ先を提示する、
ワーキングホリデー管理方法。
【請求項９】
プログラムであって、
請求項１〜請求項７のいずれか１項に記載のワーキングホリデー管理システムにおける各部をコンピュータに実行させるための、
プログラム。
【発明の詳細な説明】
【技術分野】
【０００１】
本発明は、ワーキングホリデー管理システム、ワーキングホリデー管理方法及びプログラムに関する。
【背景技術】
【０００２】
求人雇用主と、就労希望外国人とのマッチングを支援する情報処理装置が開示されている（例えば、特許文献１参照。）。
【先行技術文献】
【特許文献】
【０００３】
【特許文献１】特開２０２０−１０７３３９号公報
【発明の概要】
【発明が解決しようとする課題】
【０００４】
しかしながら、特許文献１に開示される情報処理装置は、ワーキングホリデーのように短期間しか就労しない場合には対応していない。したがって、ワーキングホリデーの希望者は、ワーキングホリデー中の過ごし方を十分に検討することなくワーキングホリデーに臨むことがあった。
【０００５】
本発明では上記事情を鑑み、ワーキングホリデーの希望者に対してワーキングホリデー中の適切な過ごし方を提示することができるワーキングホリデー管理システムを提供することとした。
【課題を解決するための手段】
【０００６】
本発明の一態様によれば、ワーキングホリデー管理システムが提供される。このワーキングホリデー管理システムは、取得ステップと、特定ステップと、提示ステップとを実行するように構成される。取得ステップでは、ワーキングホリデーを希望する希望者の個人情報である第１個人情報を取得する。特定ステップでは、第２個人情報と、受入先情報との関係を示す参照情報を利用し、第１個人情報に基づいてワーキングホリデーの第１プランを特定する。第２個人情報は、ワーキングホリデーを過去に利用した利用者の個人情報である。受入先情報は、ワーキングホリデーの受け入れ先の情報である。提示ステップでは、希望者がワーキングホリデーを利用する前に第１プランを提示する。
【０００７】
上記の開示によれば、ワーキングホリデーの希望者に対してワーキングホリデー中の適切な過ごし方を提示することができる。
【図面の簡単な説明】
【０００８】
【図１】本実施形態に係るワーキングホリデー管理システム１００の構成を示す図である。
【図２】サーバ２００のハードウェア構成を示すブロック図である。
【図３】ユーザ端末３００のハードウェア構成を示すブロック図である。
【図４】サーバ２００（制御部２１０）によって実現される機能を示すブロック図である。
【図５】ワーキングホリデー管理システム１００によって実行される情報処理の流れを示すアクティビティ図である。
【図６】ワーキングホリデー管理システム１００によって実行される情報処理の流れを示すアクティビティ図である。
【図７】ユーザの第１個人情報の一例を示す図である。
【図８】ワーキングホリデーのプランの一例を示す図である。
【発明を実施するための形態】
【０００９】
以下、図面を用いて本発明の実施形態について説明する。以下に示す実施形態中で示した各種特徴事項は、互いに組み合わせ可能である。
【００１０】
ところで、本実施形態に登場するソフトウェアを実現するためのプログラムは、コンピュータが読み取り可能な非一時的な記録媒体（Ｎｏｎ−Ｔｒａｎｓｉｔｏｒｙ  Ｃｏｍｐｕｔｅｒ−Ｒｅａｄａｂｌｅ  Ｍｅｄｉｕｍ）として提供されてもよいし、外部のサーバからダウンロード可能に提供されてもよいし、外部のコンピュータで当該プログラムを起動させてクライアント端末でその機能を実現（いわゆるクラウドコンピューティング）するように提供されてもよい。
【００１１】
また、本実施形態において「部」とは、例えば、広義の回路によって実施されるハードウェア資源と、これらのハードウェア資源によって具体的に実現されうるソフトウェアの情報処理とを合わせたものも含みうる。また、本実施形態においては様々な情報を取り扱うが、これら情報は、例えば電圧・電流を表す信号値の物理的な値、０又は１で構成される２進数のビット集合体としての信号値の高低、又は量子的な重ね合わせ（いわゆる量子ビット）によって表され、広義の回路上で通信・演算が実行されうる。
【００１２】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１３】
＜実施形態＞
実施形態について説明する。
【００１４】
１．ハードウェア構成
第１節では、本実施形態のハードウェア構成について説明する。
【００１５】
１．１  ワーキングホリデー管理システム１００
図１は、本実施形態に係るワーキングホリデー管理システム１００の構成を示す図である。ワーキングホリデー管理システム１００は、サーバ２００と、ユーザ端末３００とを備え、これらがネットワークを通じて接続されている。これらの構成要素についてさらに説明する。ここで、ワーキングホリデー管理システム１００に例示されるシステムとは、１つ又はそれ以上の装置又は構成要素からなるものである。
【００１６】
１．２  サーバ２００
図２は、サーバ２００のハードウェア構成を示すブロック図である。サーバ２００は、制御部２１０と、記憶部２２０と、通信部２５０とを有し、これらの構成要素がサーバ２００の内部において通信バスを介して電気的に接続されている。これらの構成要素についてさらに説明する。
【００１７】
制御部２１０は、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）等であって、サーバ２００の全体を制御する。制御部２１０は、記憶部２２０に記憶された所定のプログラムを読み出すことによって、サーバ２００に係る種々の機能を実現する。すなわち、記憶部２２０に記憶されているソフトウェアによる情報処理が、ハードウェアの一例である制御部２１０によって具体的に実現されることで、制御部２１０に含まれる各機能部として実現されうる。これらについては、次節においてさらに詳述する。なお、制御部２１０は単一であることに限定されず、機能ごとに複数の制御部２１０を有するように実施してもよい。またそれらの組み合わせであってもよい。
【００１８】
記憶部２２０は、種々のプログラム及びデータを記憶するものであり、例えばメモリ、ＨＤＤ（Ｈａｒｄ  Ｄｉｓｋ  Ｄｒｉｖｅ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成される。また、記憶部２２０は、制御部２１０がプログラムに基づき処理を実行する際に用いるデータ等を記憶する。そして、記憶部２２０に記憶されているプログラムに基づいて制御部２１０が処理を実行することにより、後述する各種処理が実現される。すなわち、当該プログラムは、サーバ２００における各部をコンピュータに実行させる。なお、記憶部２２０に関して、少なくとも一部の情報が記憶部２２０以外の外部サーバに記憶されていてもよいし、複数の端末にブロックチェーン技術等を用いて分散して記憶されていてもよい。
【００１９】
通信部２５０は、ＮＩＣ（Ｎｅｔｗｏｒｋ  Ｉｎｔｅｒｆａｃｅ  Ｃａｒｄ）等であって、サーバ２００をネットワークに接続し、有線接続又は無線接続により他の装置又は構成要素とデータ通信可能に構成される。
【００２０】
１．３  ユーザ端末３００
図３は、ユーザ端末３００のハードウェア構成を示すブロック図である。ユーザ端末３００は、制御部３１０と、記憶部３２０と、表示情報生成部３３０と、入力受付部３４０と、通信部３５０とを有し、これらの構成要素がユーザ端末３００の内部において通信バスを介して電気的に接続されている。制御部３１０、記憶部３２０及び通信部３５０の説明は、サーバ２００における制御部２１０、記憶部２２０及び通信部２５０と略同様のため省略する。
【００２１】
表示情報生成部３３０は、テキスト、画像（静止画及び動画を含む）を表示するものであり、任意のディスプレイに表示する情報を生成する。
【００２２】
入力受付部３４０は、ユーザ端末３００に種々の情報を入力するものであり、マウス、キーボード、ポインティングデバイス等から入力される信号を受け付ける。
【００２３】
２．機能構成
本節では、本実施形態の機能構成について説明する。前述の通り、記憶部２２０に記憶されているソフトウェアによる情報処理がハードウェアの一例である制御部２１０によって具体的に実現されることで、制御部２１０に含まれる各機能部として実行されうる。
【００２４】
図４は、サーバ２００（制御部２１０）によって実現される機能を示すブロック図である。具体的には、ワーキングホリデー管理システム１００の一例であるサーバ２００（制御部２１０）は、取得部２１１と、特定部２１２と、提示部２１３と、学習部２１４と、保証部２１５とを備える。
【００２５】
取得部２１１は、種々の情報を取得するように構成される。例えば、取得部２１１は、ユーザ端末３００で入力された第１個人情報を取得する。
【００２６】
特定部２１２は、第１個人情報に基づいてワーキングホリデーの第１プランを特定するように構成される。例えば、特定部２１２は、予め記憶部２２０に記憶された学習済みモデル２２１を参照することで、第１個人情報に基づいてワーキングホリデーの第１プランを特定する。
【００２７】
提示部２１３は、ワーキングホリデーの希望者がワーキングホリデーを利用する前に、ワーキングホリデーの第１プランを提示するように構成される。
【００２８】
学習部２１４は、指定したデータや情報を教師データとして、機械学習を実行するように構成される。例えば本実施形態では、教師データとして、ワーキングホリデーを希望する希望者の第１個人情報が採用される。機械学習のアルゴリズムは特に限定されず、ｋ近傍法、ロジスティック回帰、サポートベクターマシン、ニューラルネットワーク、トピックモデル、混合ガウスモデル等が適宜採用されればよい。
【００２９】
保証部２１５は、ワーキングホリデーの希望者から所定の保証金が支払われた場合に第１個人情報を受け付けるように構成される。また、保証部２１５は、当該希望者が提示部２１３によって提示されたプランを実行した場合に当該希望者に保証金を払い戻すように構成される。
【００３０】
３．情報処理方法
本節では、前述したワーキングホリデー管理システム１００の情報処理方法について説明する。このワーキングホリデー管理方法は、コンピュータが実行するワーキングホリデー管理方法である。ワーキングホリデー管理方法は、取得ステップと、特定ステップと、提示ステップとを実行するように構成される。取得ステップでは、ワーキングホリデーを希望する希望者の個人情報である第１個人情報を取得する。特定ステップでは、第２個人情報と、受入先情報との関係を示す参照情報を利用し、第１個人情報に基づいてワーキングホリデーの第１プランを特定する。第２個人情報は、ワーキングホリデーを過去に利用した利用者の個人情報である。受入先情報は、ワーキングホリデーの受け入れ先の情報である。提示ステップでは、希望者がワーキングホリデーを利用する前に第１プランを提示する。
【００３１】
図５及び図６は、ワーキングホリデー管理システム１００によって実行される情報処理の流れを示すアクティビティ図である。以下、このアクティビティ図の各アクティビティに沿って説明するものとする。ここでは、ワーキングホリデーを希望する希望者を単にユーザとして説明する。また、ユーザは、ユーザ端末３００を介して種々の情報のやり取りを行うものとして説明する。さらに、ワーキングホリデーの受け入れ先は、語学学校や企業等として説明する。
【００３２】
まず、ユーザは、自身の個人情報である第１個人情報をユーザ端末３００に入力する（Ａ１１０）。第１個人情報は、ユーザの滞在期間、滞在先及び希望する職種の少なくとも１つを含んでもよい。また、第１個人情報は、ユーザが希望する受け入れ先を含んでもよい。かかる場合、提示部２１３は、ユーザの情報や希望を考慮してワーキングホリデーのプランを提示するため、ワーキングホリデーに臨むユーザの意欲を増加させることができる。さらに、第１個人情報は、ユーザの語学力を含んでもよい。かかる場合、ワーキングホリデーの受け入れ先である企業等の就労先は、予めユーザの語学力を把握することができる。したがって、企業等の就労先は、当該ユーザを受け入れる場合にユーザの配置部署等を予め考慮することができる。
【００３３】
続いて、ユーザは、予め定められた保証金を支払う（Ａ１２０）。保証金の支払いは、振込であってもよいし、クレジットカード決済であってもよい。そして、ユーザ端末３００は、第１個人情報及び保証金支払い済みの旨を、ネットワークを介してサーバ２００に送信する。ユーザ端末３００は、ノートパソコン、デスクトップパソコン、スマートフォン、タブレット端末等であってもよい。
【００３４】
続いて、取得部２１１は、取得ステップを実行する（Ａ１３０）。取得ステップでは、取得部２１１は、ワーキングホリデーを希望する希望者（ユーザ）の個人情報である第１個人情報を取得する。つまり、通信部２５０がユーザ端末３００から第１個人情報を受信し、受信した第１個人情報を制御部２１０が記憶部２２０に記憶させる。
【００３５】
ここで、保証部２１５は、保証ステップを実行してもよい。保証ステップでは、保証部２１５は、ユーザから所定の保証金が支払われた場合に第１個人情報を受け付ける。つまり、通信部２５０がユーザ端末３００から保証金の支払情報を受信し、これをトリガーとして、通信部２５０が受信した第１個人情報を、制御部２１０が記憶部２２０に記憶させる。
【００３６】
続いて、特定部２１２は、特定ステップを実行する（Ａ１４０〜Ａ１６５）。特定ステップでは、特定部２１２は、第２個人情報と、受入先情報との関係を示す参照情報を利用し、第１個人情報に基づいてワーキングホリデーの第１プランを特定する。つまり、制御部２１０が、記憶部２２０に予め記憶された第２個人情報、受入先情報、及び参照情報と、取得ステップで取得した第１個人情報とを読み出し、特定処理を実行することで、ワーキングホリデーの第１プランを特定する。第２個人情報は、ワーキングホリデーを過去に利用した利用者の個人情報である。また、受入先情報は、ワーキングホリデーの受け入れ先の情報である。
【００３７】
Ａ１４０〜Ａ１６５を順に説明する。制御部２１０は、記憶部２２０に記憶された第２個人情報を読み出す（Ａ１４０）。続いて、制御部２１０は、記憶部２２０に記憶された受入先情報を読み出す（Ａ１４５）。続いて、制御部２１０は、記憶部２２０に記憶された参照情報を読み出す（Ａ１５０）。好ましくは、参照情報は、第２個人情報と、受入先情報との関係を予め学習させた学習済みモデルである。かかる場合、特定部２１２は、機械学習を用いることで精度の高い第１プランを特定することができる。
【００３８】
続いて、制御部２１０は、取得部２１１によって取得されたユーザの語学力が所定値以上であるか否かを判断する。特定部２１２は、ユーザの語学力が所定値よりも低い場合、受け入れ先に語学学校を含む第１プランを特定する（Ａ１６０）。かかる場合、サーバ２００は、ユーザが企業等で仕事をする前に、企業等で適切に働くための基礎力（語学力）をつけさせることができる。またこのとき、特定部２１２は、ユーザが語学学校に所属するとともに企業等に所属するような第１プランを特定してもよい。例えば、語学学校の近隣にある企業等に所属するようにすることで、ユーザは、語学を学びながら就労することができる。
【００３９】
一方、特定部２１２は、ユーザの語学力が所定値以上である場合、受け入れ先に語学学校を含まない第１プランを特定する（Ａ１６５）。ユーザが所定の語学力を有する場合は、語学学校に通う期間を企業等で就労する期間とした方が効率が良いと考えられる。所定の語学力は、ここでは日本語を例にしたが、英語を基準にして判断するようにしてもよい。例えば、国際空港近辺のホテルでフロントを担当する場合、接客相手として訪日外国人が相当数を占めるときがある。このような職場では、語学力として、英語力は重要であるが、日本語力は日常会話ができれば十分ということがある。このように、提示部２１３は、ユーザがワーキングホリデーを利用する前に第１プランを提示する。
【００４０】
続いて、ユーザは、第１プランで提示された受け入れ先による試験を受ける（Ａ１６７）。試験は、例えば、心理テスト、学力診断テスト等が挙げられる。なお、受け入れ先は、ユーザに対して試験を省略することができる。例えば、受け入れ先は、書類選考を通過したユーザを受け入れるようにしてもよい。続いて、取得部２１１は、受け入れ先である雇用主によるユーザの評価を取得する（Ａ１７０）。ここで評価は、受け入れ先によるユーザの試験結果を含む。すなわち、ワーキングホリデーの受け入れ先は、ユーザの能力や仕事に対する適正を予め知ることができる。したがって、ワーキングホリデーの受け入れ先は、ユーザを受け入れる際の抵抗感を低減することができる。
【００４１】
続いて、特定部２１２は、評価（本実施形態では試験結果）が所定値よりも低い場合、第１個人情報と、当該試験結果とに基づいて第１プランとは異なる第２プランを特定する（Ａ１８０）。そして、提示部２１３は、ユーザが次の受け入れ先に所属する前に第２プランを提示する（Ａ１８０）。受け入れ先による評価が低い場合は当該受け入れ先がユーザに向いていないと思われるため、Ａ１８０のように新たなプランを特定して提示する。
【００４２】
続いて、ユーザは、試験結果が良好であった受け入れ先に所属する（Ａ１８５）。続いて、制御部２１０は、１つの受け入れ先への所属が終了した場合において、次の受け入れ先があるときは、当該次の受け入れ先による試験を受ける（Ａ１６７）。
【００４３】
制御部２１０は、ワーキングホリデーの期間が終了したと判断すると、提示部２１３が提示したプランをユーザが実行したか否かを判断する。制御部２１０は、当該プランをユーザが実行したと判断すると、保証ステップを実行する（Ａ１９０）。保証ステップでは、保証部２１５は、提示部２１３によって提示されたプランを実行した場合に保証金を払い戻す。そして、ユーザは、預けた保証金を受け取る（Ａ２００）。このような保証ステップを実行することにより、ワーキングホリデー管理システム１００は、ユーザに対してプランの実行を促すことができる。これにより受け入れ先は、ユーザがプランに従ってワーキングホリデーを実行することを期待することができる。すなわち、ワーキングホリデー管理システム１００は、受け入れ先に対して安心感を与えることができる。
【００４４】
このように、ワーキングホリデー管理システム１００における処理が逐次繰り返されるとよい。このとき好ましくは、学習部２１４は、学習ステップを実行する。学習ステップでは、学習部２１４は、ユーザがワーキングホリデーを終了すると、第１個人情報を教師データとして、学習済みモデル２２１を更新する。つまり、ワーキングホリデー管理システム１００の動作中に得られる第１個人情報を教師データとして学習済みモデル２２１を更新することができる。このように実データを教師データとすることで、ワーキングホリデーのプラン特定の精度をさらに高めることができる。
【００４５】
図７は、ユーザの第１個人情報の一例を示す図である。ここでは、外国から日本へのワーキングホリデーを希望するユーザをＡさんとして説明する。Ａさんの第１個人情報は、「日本語検定：３級」、「滞在期間：１２ヶ月」、「滞在先：東京都（６ヶ月）、大阪府（３ヶ月）、福岡県（３ヶ月）」、「希望職種：サービス業」、「希望する受け入れ先：△△株式会社」から構成される。ここで、例えばワーキングホリデー管理システム１００において日本語検定が２級以上の場合に十分な語学力があると設定されているときは、Ａさんは３級なので、受け入れ先に語学学校を含む第１プランが提示される。
【００４６】
滞在期間及び滞在先の項目は、滞在期間に基づいてそれぞれどの地域にどれだけの期間滞在する予定かどうかが示されている。サーバ２００は、滞在期間及び滞在先の項目に基づいて受け入れ先を選定し、ワーキングホリデーのプランとしてユーザ（Ａさん）に提示する。希望職種の項目は、ワーキングホリデーにおいてＡさんが就労することを希望する職種が示されている。そして、Ａさんは、具体的に希望する受け入れ先がある場合は、希望する受け入れ先名を個人情報として入力する。
【００４７】
図８は、ワーキングホリデーのプランの一例を示す図である。前提として、Ａさんは、ワーキングホリデーの期間を２０２０年１月１日から２０２０年１２月３１日までと予め設定している。サーバ２００は、Ａさんの語学力が所定値よりも低いと判断したため、まずは語学学校に通うプランを提示している。また、サーバ２００は、Ａさんが希望した受け入れ先をプランに組み込んでいる。このように、ワーキングホリデー管理システム１００は、図７におけるＡさんの個人情報に基づいて、ワーキングホリデーのプランを提示している。
【００４８】
本実施形態によれば、ワーキングホリデー管理システム１００は、ワーキングホリデーの希望者に対してワーキングホリデー中の適切な過ごし方を提示することができる。また、ワーキングホリデー管理システム１００は、ワーキングホリデーを希望する希望者と、ワーキングホリデーの受け入れ先の語学学校や企業等とのマッチングを促進することができる。
【００４９】
次に記載の各態様で提供されてもよい。
前記ワーキングホリデー管理システムにおいて、前記取得ステップでは、前記受け入れ先である雇用主による前記希望者の評価を取得し、前記特定ステップでは、前記評価が所定値よりも低い場合、前記第１個人情報と、前記評価とに基づいて前記第１プランとは異なる第２プランを特定し、前記提示ステップでは、前記希望者が次の受け入れ先に所属する前に前記第２プランを提示する、ワーキングホリデー管理システム。
前記ワーキングホリデー管理システムにおいて、前記評価は、前記受け入れ先による前記希望者の試験結果を含む、ワーキングホリデー管理システム。
前記ワーキングホリデー管理システムにおいて、前記参照情報は、前記第２個人情報と、前記受入先情報との関係を予め学習させた学習済みモデルである、ワーキングホリデー管理システム。
前記ワーキングホリデー管理システムにおいて、学習ステップを実行するように構成され、前記学習ステップでは、前記希望者がワーキングホリデーを終了すると、前記第１個人情報を教師データとして、前記学習済みモデルを更新する、ワーキングホリデー管理システム。
前記ワーキングホリデー管理システムにおいて、前記第１個人情報は、前記希望者の滞在期間、滞在先及び希望する職種の少なくとも１つを含む、ワーキングホリデー管理システム。
前記ワーキングホリデー管理システムにおいて、前記第１個人情報は、前記希望者が希望する受け入れ先を含む、ワーキングホリデー管理システム。
前記ワーキングホリデー管理システムにおいて、前記第１個人情報は、前記希望者の語学力を含み、前記特定ステップでは、前記語学力が所定値よりも低い場合、前記受け入れ先に語学学校を含む前記第１プランを特定する、ワーキングホリデー管理システム。
前記ワーキングホリデー管理システムにおいて、保証ステップを実行するように構成され、前記保証ステップでは、保証金が支払われた場合に前記第１個人情報を受け付け、前記保証ステップでは、前記提示ステップによって提示されたプランを実行した場合に前記保証金を払い戻す、ワーキングホリデー管理システム。
コンピュータが実行するワーキングホリデー管理方法であって、取得ステップと、特定ステップと、提示ステップとを実行するように構成され、前記取得ステップでは、ワーキングホリデーを希望する希望者の個人情報である第１個人情報を取得し、前記特定ステップでは、第２個人情報と、受入先情報との関係を示す参照情報を利用し、前記第１個人情報に基づいてワーキングホリデーの第１プランを特定し、前記第２個人情報は、ワーキングホリデーを過去に利用した利用者の個人情報であり、前記受入先情報は、ワーキングホリデーの受け入れ先の情報であり、前記提示ステップでは、前記希望者がワーキングホリデーを利用する前に前記第１プランを提示する、ワーキングホリデー管理方法。
プログラムであって、前記ワーキングホリデー管理システムにおける各ステップをコンピュータに実行させるための、プログラム。
もちろん、この限りではない。
【符号の説明】
【００５０】
１００  ：ワーキングホリデー管理システム
２００  ：サーバ
２１０  ：制御部
２１１  ：取得部
２１２  ：特定部
２１３  ：提示部
２１４  ：学習部
２１５  ：保証部
２２０  ：記憶部
２２１  ：モデル
２５０  ：通信部
３００  ：ユーザ端末
３１０  ：制御部
３２０  ：記憶部
３３０  ：表示情報生成部
３４０  ：入力受付部
３５０  ：通信部
【要約】
【課題】ワーキングホリデーの希望者に対してワーキングホリデー中の適切な過ごし方を提示することができるワーキングホリデー管理システムを提供すること。
【解決手段】本発明の一態様によれば、ワーキングホリデー管理システムが提供される。このワーキングホリデー管理システムは、取得ステップと、特定ステップと、提示ステップとを実行するように構成される。取得ステップでは、ワーキングホリデーを希望する希望者の個人情報である第１個人情報を取得する。特定ステップでは、第２個人情報と、受入先情報との関係を示す参照情報を利用し、第１個人情報に基づいてワーキングホリデーの第１プランを特定する。第２個人情報は、ワーキングホリデーを過去に利用した利用者の個人情報である。受入先情報は、ワーキングホリデーの受け入れ先の情報である。提示ステップでは、希望者がワーキングホリデーを利用する前に第１プランを提示する。
【選択図】図１【図１】
0006937979.tif 000002
【図２】
0006937979.tif 000003
【図３】
0006937979.tif 000004
【図４】
0006937979.tif 000005
【図５】
0006937979.tif 000006
【図６】
0006937979.tif 000007
【図７】
0006937979.tif 000008
【図８】
0006937979.tif 000009